(57)【要約】【課題】記録媒体にたわみ又はしわが生じることを低減しつつ、記録媒体を搬送する。【解決手段】従動ロール３４ａは、記録媒体搬送方向に対して回転軸７２ａが側方基準修正部７４側に向けて傾けられており、記録媒体に搬送力Ｆ１を加える。従動ロール３４ｂは、記録媒体搬送方向に対して従動ロール３４ａとは逆方向に回転軸７２ｂが傾けられており、記録媒体に搬送力Ｆ２を加える。搬送力Ｆ１は、記録媒体搬送方向の分力Ａ１と、記録媒体搬送方向に直交する方向の分力Ｂ１とに分解される。また、搬送力Ｆ２は、記録媒体搬送方向の分力Ａ２と、記録媒体搬送方向に直交する方向の分力Ｂ２とに分解される。搬送力Ｆ１の分力Ｂ１は、搬送力Ｆ２の分力Ｂ２よりも大きくされており、力の方向が分力Ｂ２と逆向きになっている。【選択図】図３
2010189120.tif 000002
【特許請求の範囲】
【請求項１】
予め定めた記録媒体搬送方向に対して傾いた方向に記録媒体を搬送する第１の搬送手段と、
前記記録媒体搬送方向に直交する方向の搬送力の分力が前記第１の搬送手段とは逆方向となる方向に記録媒体を搬送する第２の搬送手段と、
を有する
記録媒体搬送装置。
【請求項２】
記録媒体に接触することにより、記録媒体を前記記録媒体搬送方向に案内する案内部材
を有し、
前記第１の搬送手段は、
記録媒体を前記案内部材に近づける方向に搬送する
請求項１記載の記録媒体搬送装置。
【請求項３】
前記第２の搬送手段は、
前記第１の搬送手段よりも前記記録媒体搬送方向に直交する方向の搬送力の分力が小さい
請求項１又は２記載の記録媒体搬送装置。
【請求項４】
画像形成部と、
この画像形成部に向けて記録媒体を搬送する記録媒体搬送部と、
を具備し、
前記記録媒体搬送部は、
予め定めた記録媒体搬送方向に対して傾いた方向に記録媒体を搬送する第１の搬送手段と、
前記記録媒体搬送方向に直交する方向の搬送力の分力が前記第１の搬送手段とは逆方向となる方向に記録媒体を搬送する第２の搬送手段と、
を有する画像形成装置。
【請求項５】
記録媒体に接触することにより、記録媒体を前記記録媒体搬送方向に案内する案内部材
を有し、
前記第１の搬送手段は、
記録媒体を前記案内部材に近づける方向に搬送する
請求項４記載の画像形成装置。
【請求項６】
前記第２の搬送手段は、
前記第１の搬送手段よりも前記記録媒体搬送方向に直交する方向の搬送力の分力が小さい
請求項４又は５記載の画像形成装置。
【発明の詳細な説明】
【技術分野】
【０００１】
本発明は、記録媒体搬送装置及び画像形成装置に関するものである。
【背景技術】
【０００２】
特許文献１は、用紙の搬送基準方式を切り換える場合に、用紙の後端あるいは端縁を検知することによって向きを変化させる構成の角度切り換え手段および搬送コロを設けた用紙搬送装置を開示する。
【先行技術文献】
【特許文献】
【０００３】
【特許文献１】特開平５−３３０７０２号公報
【発明の概要】
【発明が解決しようとする課題】
【０００４】
本発明は、記録媒体にたわみ又はしわが生じることを低減しつつ、記録媒体を搬送することができる記録媒体搬送装置及び画像形成装置を提供することを目的とする。
【課題を解決するための手段】
【０００５】
上記目的を達成するため、請求項１に係る本発明は、予め定めた記録媒体搬送方向に対して傾いた方向に記録媒体を搬送する第１の搬送手段と、前記記録媒体搬送方向に直交する方向の搬送力の分力が前記第１の搬送手段とは逆方向となる方向に記録媒体を搬送する第２の搬送手段と、を有する記録媒体搬送装置である。
【０００６】
請求項２に係る本発明は、記録媒体に接触することにより、記録媒体を前記記録媒体搬送方向に案内する案内部材を有し、前記第１の搬送手段は、記録媒体を前記案内部材に近づける方向に搬送する請求項１記載の記録媒体搬送装置である。
【０００７】
請求項３に係る本発明は、前記第２の搬送手段が、前記第１の搬送手段よりも前記記録媒体搬送方向に直交する方向の搬送力の分力が小さい請求項１又は２記載の記録媒体搬送装置である。
【０００８】
請求項４に係る本発明は、画像形成部と、この画像形成部に向けて記録媒体を搬送する記録媒体搬送部と、を具備し、前記記録媒体搬送部は、予め定めた記録媒体搬送方向に対して傾いた方向に記録媒体を搬送する第１の搬送手段と、前記記録媒体搬送方向に直交する方向の搬送力の分力が前記第１の搬送手段とは逆方向となる方向に記録媒体を搬送する第２の搬送手段と、を有する画像形成装置である。
【０００９】
請求項５に係る本発明は、記録媒体に接触することにより、記録媒体を前記記録媒体搬送方向に案内する案内部材を有し、前記第１の搬送手段は、記録媒体を前記案内部材に近づける方向に搬送する請求項４記載の画像形成装置である。
【００１０】
請求項６に係る本発明は、前記第２の搬送手段が、前記第１の搬送手段よりも前記記録媒体搬送方向に直交する方向の搬送力の分力が小さい請求項４又は５記載の画像形成装置である。
【発明の効果】
【００１１】
請求項１に係る本発明によれば、本構成を有していない場合に比較して、記録媒体にたわみ又はしわが生じることを低減しつつ、記録媒体を搬送することができる。
【００１２】
請求項２に係る本発明によれば、請求項１に係る本発明の効果に加えて、記録媒体を記録媒体搬送方向に案内することができる。
【００１３】
請求項３に係る本発明によれば、請求項１又は２に係る本発明の効果に加えて、本構成を有していない場合に比較して、記録媒体を記録媒体搬送方向に確実に搬送することができる。
【００１４】
請求項４に係る本発明によれば、本構成を有していない場合に比較して、たわみ又はしわが生じることを低減して搬送した記録媒体に画像を形成することができる。
【００１５】
請求項５に係る本発明によれば、請求項４に係る本発明の効果に加えて、記録媒体を記録媒体搬送方向に案内することができる。
【００１６】
請求項６に係る本発明によれば、請求項４又は５に係る本発明の効果に加えて、本構成を有していない場合に比較して、たわみ又はしわが生じることを確実に低減して搬送した記録媒体に画像を形成することができる。
【図面の簡単な説明】
【００１７】
【図１】本発明の実施形態に係る画像形成装置の概要を示す側面図である。
【図２】搬送路に対して予め定めた記録媒体搬送方向と、従動ロールそれぞれの搬送方向との関係を示す模式図である。
【図３】従動ロール（第１の搬送部）が記録媒体に加える力の方向を示す模式図である。
【発明を実施するための形態】
【００１８】
次に本発明の実施形態を図面に基づいて説明する。
図１に示すように、画像形成装置１０は、画像形成装置本体１２を有し、この画像形成装置本体１２の下部に例えば１段の給紙ユニット１４が配置されている。
【００１９】
給紙ユニット１４の上部には、給紙ユニット１４から用紙などの記録媒体を取り出す取り出しロール１６が配置されている。取り出しロール１６は、図示しない駆動部によって駆動され、記録媒体を搬送路１８に向けて供給するように回転する。
【００２０】
搬送路１８は、取り出しロール１６から排出口２０までの記録媒体通路であり、この搬送路１８は、画像形成装置本体１２の背面側（図１において左側）にあって、給紙ユニット１４から排出口２０までに略垂直に延びる部分を有する。この搬送路１８の定着装置２２の上流側には、例えば感光体からなる像保持体２４と、表面に弾性を有する転写ロール２６とが配置され、像保持体２４と転写ロール２６の上流側にレジストロール２８が配置され、レジストロール２８の上流側に第１の搬送部３０が配置されている。
【００２１】
第１の搬送部３０は、例えば駆動ロール３２ａ,３２ｂと、従動ロール３４ａ,３４ｂとからなる２つのロール対を有する。駆動ロール３２ａ,３２ｂは、例えばモータなどからなる駆動部３６の駆動力によってそれぞれ回転するよう駆動される。従動ロール３４ａは、例えば駆動ロール３２ａに接触するように設けられ、駆動ロール３２ａの回転に応じて回転可能にされている。従動ロール３４ｂは、例えば駆動ロール３２ｂに接触するように設けられ、駆動ロール３２ｂの回転に応じて回転可能にされている。
また、搬送路１８の排出口２０の近傍には排出ロール４２が配置されている。
【００２２】
したがって、給紙ユニット１４から取り出しロール１６により取り出された記録媒体は、搬送路１８に導かれ、第１の搬送部３０によりレジストロール２８に向けて搬送されて、レジストロール２８により一時停止され、タイミングをとって像保持体２４と転写ロール２６との間を通って例えば黒色の現像剤像が転写され、この転写された黒色の現像剤像が定着装置２２により定着され、排出ロール４２により排出口２０から排出される。
【００２３】
ただし、カラー印刷の場合は、記録媒体は後述する反復路４６に例えば３回戻される。即ち、搬送路１８の定着装置２２の下流は二股に分かれ、その分かれた部分に切換装置４４が設けられていると共に、分けられた部分から第１の搬送部３０まで戻る反復路４６が形成されている。この反復路４６には例えば搬送ロールからなる第２の搬送部４８及び第３の搬送部５０が設けられており、カラー印刷の場合には、切換装置４４が反復路４６を開く側に切り換えられ、記録媒体が反復路４６に導かれ、第１の搬送部３０、レジストロール２８、像保持体２４と転写ロール２６との間及び定着装置２２を合計４回通って排出口２０から排出されるものである。ここで、搬送路１８の第１の搬送部３０から定着装置２２までと反復路４６とは、現像剤像を定着された記録媒体を、再び像保持体２４と転写ロール２６との間及び定着装置２２へ搬送する再送路５２を形成している。
【００２４】
画像形成装置本体１２には、例えば略中央下部にロータリ現像装置５４が配置されている。ロータリ現像装置５４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤を個別に収容する現像器５６ａ〜５６ｄを有する。現像器５６ａ〜５６ｄは、現像ロール５８ａ〜５８ｄと、着脱自在にされた現像剤収容器６０ａ〜６０ｄとをそれぞれ有し、現像剤収容器６０ａ〜６０ｄが収容する現像剤を現像ロール５８ａ〜５８ｄに個別に供給し、像保持体２４が保持する静電潜像を各色の現像剤で順次に可視化する。
【００２５】
像保持体２４の正面側には、該像保持体２４を一様帯電する例えば帯電ロールからなる帯電装置６２が設けられている。つまり像保持体２４には、現像バイアスがかけられている。また、像保持体２４には、該像保持体２４の回転方向の帯電装置６２よりも上流側に像保持体用クリーナ６４が当接している。像保持体用クリーナ６４は、転写後に像保持体２４に残留する現像剤を掻き取る。
【００２６】
ロータリ現像装置５４の上方には、帯電装置６２により帯電された像保持体２４に、レーザ光などの光線により静電潜像を書き込む露光装置６６が配置されている。また、像保持体２４の背面側には、上述した転写ロール２６が位置する。転写ロール２６は、現像器５６ａ〜５６ｄによって可視化された現像剤像を転写位置Ｔで記録媒体に順次重ねて転写する。
【００２７】
つまり、像保持体２４、帯電装置６２、露光装置６６、ロータリ現像装置５４、像保持体用クリーナ６４及び転写ロール２６などにより、記録媒体に画像を形成する画像形成部６８が構成されている。
【００２８】
転写位置Ｔの下流には、定着装置２２が配置されている。定着装置２２は、加熱ロールと加圧ロールとを有し、像保持体２４と転写ロール２６により記録媒体に転写された現像剤像を熱と圧力とによって記録媒体に定着させて搬送する。
【００２９】
また、画像形成装置本体１２内には、画像形成装置１０を構成する各部を制御する制御部７０が配置されている。
【００３０】
次に、第１の搬送部３０について詳述する。
図２は、搬送路１８に対して予め定めた記録媒体搬送方向と、従動ロール３４ａ,３４ｂそれぞれの搬送方向との関係を示す模式図である。
図３は、従動ロール３４ａ,３４ｂ（第１の搬送部３０）が記録媒体に加える力の方向を示す模式図である。
従動ロール３４ａは回転軸７２ａを軸として回転するようにされており、従動ロール３４ｂは回転軸７２ｂを軸として回転するようにされている。また、従動ロール３４ａ,３４ｂは、側方基準修正部（案内部材）７４とともに記録媒体の姿勢（搬送位置と搬送方向）を補正する補正手段を構成するようにされている。
【００３１】
従動ロール３４ａは、記録媒体搬送方向に対して回転軸７２ａが側方基準修正部７４側に向けて傾けられており、駆動ロール３２ａ（図１）とともに記録媒体に搬送力Ｆ１を加える。従動ロール３４ｂは、記録媒体搬送方向に対して従動ロール３４ａとは逆方向に回転軸７２ｂが傾けられており、駆動ロール３２ｂ（図１）とともに記録媒体に搬送力Ｆ２を加える。
【００３２】
図３に示すように、搬送力Ｆ１は、記録媒体搬送方向の分力Ａ１と、記録媒体搬送方向に直交する方向の分力Ｂ１とに分解される。また、搬送力Ｆ２は、記録媒体搬送方向の分力Ａ２と、記録媒体搬送方向に直交する方向の分力Ｂ２とに分解される。従動ロール３４ａは、例えば記録媒体に対する摩擦力が従動ロール３４ｂよりも大きくされており、搬送力Ｆ１が従動ロール３４ｂの搬送力Ｆ２よりも大きくされている。
搬送力Ｆ１の分力Ａ１は、搬送力Ｆ２の分力Ａ２と同じ方向の力であり、力の大きさが分力Ａ２と略同じにされている。一方、搬送力Ｆ１の分力Ｂ１は、搬送力Ｆ２の分力Ｂ２よりも大きくされており、力の方向が分力Ｂ２と逆向きになっている。
【００３３】
したがって、記録媒体は、第１の搬送部３０に達すると、分力Ｂ１と分力Ｂ２との差によって側方基準修正部７４側へ移動させられつつ側方基準修正部７４に案内され、記録媒体搬送方向に搬送される（図２）。また、記録媒体の従動ロール３４ａと従動ロール３４ｂとに挟まれる領域内の点Ｃにも、記録媒体搬送方向に直交する方向の互いに逆向きの力が加わる。つまり、記録媒体の従動ロール３４ａと従動ロール３４ｂとに挟まれる領域は、たわまないように側方基準修正部７４側と反側方基準修正部７４側とに引っ張られる。
【００３４】
ここで、上記のように定着装置２２を合計４回通って記録媒体が排出される場合、定着回数に応じて、記録媒体内の水分が減少し、その大きさが縮小する傾向にあるとともに、コシ（こわさ）が増加する傾向にある。この回数に応じたコシの変化に対して、本実施形態のような従動ロールの構成を採用することによって、たわみ、しわを抑制することが可能となる。この構成は、図１に示すように、転写位置Ｔの上流側に、従動ロールを配置することによって、転写工程に色ずれなどを生じることなく実施することが可能となる。
【００３５】
次に画像形成装置１０の全体動作（カラー印刷）について説明する。
画像形成信号が送られると、像保持体２４が帯電装置６２により一様に帯電され、この帯電された像保持体２４には、画像信号に基づいて露光装置６６からイエローの画像に対応する光線が出射される。露光装置６６からの光線は、像保持体２４の表面を露光し、静電潜像が形成される。
【００３６】
像保持体２４に保持された静電潜像は、現像器５６ａの現像ロール５８ａに供給されるイエローの現像剤で現像され、給紙ユニット１４から供給されて第１の搬送部３０を通った記録媒体に転写される。イエローの現像剤像を転写された記録媒体は、定着装置２２に導かれ、加熱ロールと加圧ロールとによって現像剤像を定着される。
【００３７】
ここで、イエローの現像剤像が定着した記録媒体は、切換装置４４によって反復路４６に導かれ、第１の搬送部３０に向けて戻される。第１の搬送部３０は、記録媒体の姿勢を補正しつつ、記録媒体をレジストロール２８へ搬送する。
【００３８】
像保持体２４に残留する現像剤は、像保持体用クリーナ６４により掻き取られる。
【００３９】
そして再び像保持体２４が帯電装置６２により一様に帯電され、この帯電された像保持体２４には、画像信号に基づいて露光装置６６からマゼンタの画像に対応する光線が出射される。露光装置６６からの光線は、像保持体２４の表面を露光し、静電潜像が形成される。
【００４０】
像保持体２４に保持された静電潜像は、現像器５６ｂの現像ロール５８ｂに供給されるマゼンタの現像剤で現像され、反復路４６及び第１の搬送部３０を通って姿勢を補正された記録媒体に重ねて転写される。
【００４１】
マゼンタの現像剤像を転写された記録媒体は、定着装置２２に導かれ、加熱ロールと加圧ロールとによって現像剤像を定着される。マゼンタの現像剤像が定着した記録媒体は、切換装置４４によって反復路４６に案内される。像保持体２４に残留する現像剤は、像保持体用クリーナ６４により掻き取られる。
【００４２】
記録媒体が第１の搬送部３０及びレジストロール２８に向けて合計３回戻されることにより、イエロー及びマゼンタの現像剤像と同様に、シアン及び黒の現像剤により現像された現像剤像が定着装置２２によって記録媒体に定着されると、記録媒体上で現像剤像が重ね合わされたカラー画像が形成される。カラー画像が定着した記録媒体は、切換装置４４によって排出ロール４２に導かれて排出される。
【００４３】
なお、上記実施形態においては、回転軸７２ａ,７２ｂが記録媒体搬送方向に対して傾けられた従動ロール３４ａ,３４ｂが駆動ロール３２ａ,３２ｂの回転に応じて回転して記録媒体を搬送する場合を例に説明したが、これに限定されることなく、記録媒体の従動ロール３４ａと従動ロール３４ｂとに挟まれる領域が側方基準修正部７４側と反側方基準修正部７４側とに引っ張られつつ、記録媒体が側方基準修正部７４に案内されて記録媒体搬送方向に搬送されればよい。例えば、従動ロール３４ａ,３４ｂの回転軸７２ａ,７２ｂが記録媒体搬送方向に対して傾けられることに代えて、駆動ロール３２ａ,３２ｂの回転軸が記録媒体搬送方向に対して傾けられてもよいし、従動ロール３４ａ,３４ｂに駆動力が加えられる構成であってもよい。
【符号の説明】
【００４４】
１０    画像形成装置
１８    搬送路
２２    定着装置
２４    像保持体
２６    転写ロール
３０    第１の搬送部
３２ａ,３２ｂ    駆動ロール
３４ａ,３４ｂ    従動ロール
３６    駆動部
４６    反復路
５４    ロータリ現像装置
６８    画像形成部
７２ａ,７２ｂ    回転軸
７４    側方基準修正部（案内部材）
【図１】
2010189120.tif 000003
【図２】
2010189120.tif 000004
【図３】
2010189120.tif 000005